(57)【要約】      （修正有）【課題】表示装置と、入力装置とを収容するケースにおいて、入力装置をケースから着脱できるようするとともに、表示装置の表示面の姿勢を調整する。【解決手段】底面に鉄板２１ｂを備えた入力装置２０が、左端部１１０に磁石Ｍａ２が埋め込まれ、中央部１３０に磁石Ｍｂ３〜Ｍｂ４が埋め込まれた装置収容ケースに対して着脱可能に固定される。また、入力装置２０が収容された収容カバー１５１の一端１５３が、溝１３１〜１３３のうち入力装置２０と重なっていない溝であって右端部１５０から最も遠い溝に嵌められる。鉄板２１ｂを、どの位置で磁石と固定させるかにより、入力装置２０に対して表示装置１０が為す角度を調整可能である。【選択図】図４Ａ
2013030054.tif 000002
【特許請求の範囲】
【請求項１】
複数の操作子を有し磁性体が設けられた入力装置が載せ置かれる載置部と、
前記入力装置の操作子を用いたユーザの操作に応じた画像を表示面に表示する表示装置が固定される固定部と、
前記載置部において前記入力装置が載せ置かれる側に対して谷折される谷折領域を介して前記載置部に繋げられた接続部であって、前記谷折領域の長手方向に平行な方向に延びて山折される山折領域と、当該山折領域を境界にして隔てられた、前記載置部から遠い第１部位及び前記載置部に近い第２部位とを有し、前記第１部位が前記固定部に留められ、前記第２部位が前記固定部に留められていない接続部と、
前記載置部において前記接続部からの距離が異なる位置に設けられ、前記磁性体を磁力で引き付ける複数の磁石と、
前記載置部において前記接続部からの距離が異なる位置に設けられ、前記谷折領域の長手方向に平行な方向に延びる複数の溝と、
前記載置部に載せ置かれた前記入力装置と前記固定部に固定された前記表示装置とが向かい合うよう前記谷折領域で谷折された状態を維持する維持部と
を備え、
前記表示装置及び前記入力装置が使用される場合には、
前記谷折領域において前記接続部が前記載置部に対して谷折され、
前記接続部が前記山折領域で山折され、
前記入力装置が前記載置部に載せ置かれて前記磁性体と前記磁石とによって固定され、
前記表示装置の端部のうち前記載置部に最も近い端部が、前記載置部に載せ置かれた前記入力装置と重なっていない前記溝であって前記接続部から最も遠い前記溝に嵌められる
ことを特徴とする装置収容ケース。
【発明の詳細な説明】
【技術分野】
【０００１】
本発明は、表示装置や入力装置を収容するケースに関する。
【背景技術】
【０００２】
携帯電話機やノートパソコンといった、携帯可能な情報処理装置の普及に伴い、これらの情報処理装置を保護しつつ収容するためのケースが開発されている。例えば、特許文献１には、ノート型情報処理装置を容易に取り外し可能であるとともに、充分な収納量を確保し、通気性、外部からの衝撃に対する保護性及び装着時の操作性を備えたケースが記載されている。
【先行技術文献】
【特許文献】
【０００３】
【特許文献１】特開２０１０―１６７１２７号公報
【発明の概要】
【発明が解決しようとする課題】
【０００４】
ところで、最近では、画像を表示するとともにユーザからの操作を受け付けるタッチスクリーンを備えた表示装置がある。このような表示装置のほか、さらにこの表示装置と通信可能な入力装置を併せて収容することが可能なケースでは、ユーザは、用途に応じて入力装置とタッチスクリーンとを使い分けることで、高い操作性を得ることができる。ここで、入力装置が、表示装置に対するユーザによる操作を受け付ける際には、タッチスクリーンがディスプレイの役割を果たすことになる。このとき、入力装置においてキーが配置された面は水平な状態を保っていたほうが入力に便利である一方、ディスプレイの見易さという意味では、表示装置の表示面がユーザの視線の方向に対して垂直であるほうが望ましい。これにより、ユーザは、あたかも折り畳み型のノートパソコンを操作しているかの如くに、タッチスクリーンに表示される画像を見ながら入力装置により操作を行うことが可能となる。さらに、タッチスクリーンの姿勢、すなわちその表示面が入力装置のキー配置面に対して為す角度を調整可能であると、ユーザは、画像を見やすい状態で操作を行うことが可能となる。また、例えば、入力装置に不具合が発生した場合に単体で容易に修理に出せるように、その入力装置がケースに対して容易に着脱可能であると利便性が高い。
【０００５】
本発明の目的は、表示装置と入力装置とを収容するケースにおいて、入力装置をケースから着脱できるようするとともに、表示装置の表示面の姿勢を調整することにある。
【課題を解決するための手段】
【０００６】
上述した課題を解決するために、本発明は、複数の操作子を有し磁性体が設けられた入力装置が載せ置かれる載置部と、前記入力装置の操作子を用いたユーザの操作に応じた画像を表示面に表示する表示装置が固定される固定部と、前記載置部において前記入力装置が載せ置かれる側に対して谷折される谷折領域を介して前記載置部に繋げられた接続部であって、前記谷折領域の長手方向に平行な方向に延びて山折される山折領域と、当該山折領域を境界にして隔てられた、前記載置部から遠い第１部位及び前記載置部に近い第２部位とを有し、前記第１部位が前記固定部に留められ、前記第２部位が前記固定部に留められていない接続部と、前記載置部において前記接続部からの距離が異なる位置に設けられ、前記磁性体を磁力で引き付ける複数の磁石と、前記載置部において前記接続部からの距離が異なる位置に設けられ、前記谷折領域の長手方向に平行な方向に延びる複数の溝と、前記載置部に載せ置かれた前記入力装置と前記固定部に固定された前記表示装置とが向かい合うよう前記谷折領域で谷折された状態を維持する維持部とを備え、前記表示装置及び前記入力装置が使用される場合には、前記谷折領域において前記接続部が前記載置部に対して谷折され、前記接続部が前記山折部で山折され、前記入力装置が前記載置部に載せ置かれて前記磁性体と前記磁石とによって固定され、前記表示装置の端部のうち前記載置部に最も近い端部が、前記載置部に載せ置かれた前記入力装置と重なっていない前記溝であって前記接続部から最も遠い前記溝に嵌められることを特徴とする装置収容ケースを提供する。
【発明の効果】
【０００７】
本発明によれば、表示装置と入力装置とを収容するケースにおいて、入力装置をケースから着脱できるようするとともに、表示装置の表示面の姿勢を調整することができる。
【図面の簡単な説明】
【０００８】
【図１】装置収容ケースが展開されたときの正面図及び側面図
【図２】装置収容ケースが折り畳まれたときの拡大側面図
【図３】装置収容ケースが組み立てられる動作を示す模式図
【図４Ａ】表示装置と入力装置の位置関係を表す図
【図４Ｂ】表示装置と入力装置の位置関係を表す図
【図４Ｃ】表示装置と入力装置の位置関係を表す図
【発明を実施するための形態】
【０００９】
以下に、図面を参照しながら本発明の実施形態について説明する。
＜構成＞
図１（ａ）は、装置収容ケース１００が展開されたときの正面図である。図１（ａ）において、装置収容ケース１００は、表示装置１０と入力装置２０とを収容する樹脂製のケースである。表示装置１０は、例えばｉＰａｄ（登録商標）と呼ばれる情報処理端末であり、画像を表示するとともにユーザからの操作を受け付ける表示面を含むタッチスクリーン１１を備えている。入力装置２０は、例えば複数のキーを備えたキーボードであり、ユーザにより押下されたキーに応じた信号を表示装置１０に送信、つまり入力する。この複数のキーは、入力装置２０の操作に用いられる操作子に相当する。表示装置１０は、入力装置２０から送信されてきた信号を受け取ると、この信号に応じた画像をタッチスクリーン１１に表示する。表示装置１０と入力装置２０は、例えばブルートゥース（登録商標）による通信を行うようになっている。この装置収容ケースは、折り畳まれた状態でユーザにより持ち運びされ、また、表示装置１０及び入力装置２０が使用されるときには折り畳まれた状態から展開され、さらに表示装置１０が適切な姿勢になるように組み立てられた状態となる。
【００１０】
装置収容ケース１００は、図のような長辺１０１、１０２及び短辺１０３、１０４からなる長方形の板状の部材である。装置収容ケース１００は、左端部１１０と、左三つ折部１２０と、中央部１３０と、右三つ折部１４０と、右端部１５０とにより構成されており、これらはそれぞれ谷折領域で区切られている。谷折領域の厚みは、谷折領域以外の部分の厚みよりも小さいため、ユーザは装置収容ケース１００をこの谷折領域で容易に折り曲げることができるようになっている。左端部１１０と左三つ折部１２０とは、両者の間にある谷折領域１２１で谷折することが可能である。また、左三つ折部１２０と中央部１３０とは、両者の間にある谷折領域１２２で谷折することが可能である。また、中央部１３０と右三つ折部１４０とは、両者の間にある谷折領域１４１で谷折することが可能である。また、右三つ折部１４０と右端部１５０とは、両者の間にある谷折領域１４２で谷折することが可能である。なお、ここで言う谷折とは、装置収容ケース１００において表示装置および入力装置が収容される側からみたときの谷折という意味である。後述する山折についても同様である。
【００１１】
左端部１１０には、長辺１０１及び短辺１０３に近い位置に円形の磁石Ｍａ１が埋め込まれ、長辺１０２及び短辺１０３に近い位置に円形の磁石Ｍａ２が埋め込まれている。また、中央部１３０には、その中央部１３０の長方形の形状の四隅の各々に近い位置に、円形の磁石Ｍｂ１〜Ｍｂ４がそれぞれ埋め込まれている。また、右端部１５０の内部には、長辺１０１及び短辺１０４に近い位置に円形の磁石Ｍｃ１が、長辺１０２及び短辺１０４に近い位置に円形の磁石Ｍｃ２が、それぞれ埋め込まれている。
【００１２】
入力装置２０の底面、つまりキーが配置されているキー配置面の裏側の面には、２枚の長方形の鉄板２１ａ及び２１ｂが設けられている。鉄板２１ａ及び２１ｂは、磁性体（強磁性体）の一例である。前述した磁石Ｍａ１及びＭａ２の間の距離、磁石Ｍｂ１及びＭｂ２の間の距離、そして、磁石Ｍｂ３及びＭｂ４の間の距離は、鉄板２１及び２１ｂの間の距離とほぼ同じである。また、磁石Ｍａ１及びＭｂ１の間の距離、磁石Ｍａ2及びＭｂ２の間の距離、磁石Ｍｂ１及びＭｂ２の間の距離、そして、磁石Ｍｂ３及びＭｂ４の間の距離は、鉄板２１及び２１ｂのそれぞれの長手方向の長さよりもやや短い。例えば入力装置２０が中央部１３０に載せ置かれたときには、磁石Ｍｂ１及びＭｂ２が鉄板２１ａを引き付け、磁石Ｍｂ３及びＭｂ４が鉄板２１ｂを引き付けることにより、入力装置２０が中央部１３０に固定される。
【００１３】
入力装置２０が載せ置かれる位置は、図示の例に限らず、入力装置２０の鉄板２１ａ，２１ｂの中央部分が磁石Ｍｂ１及びＭｂ３の位置に載せ置かれることで、入力装置２０が固定されたり、また、入力装置２０の鉄板２１ａ，２１ｂが、磁石Ｍａ１，Ｍａ２，Ｍｂ１及びＭｂ３に対応する位置に載せ置かれることで、入力装置２０が固定されたりすることも可能である。つまり、ユーザは、装置収容ケース１００において、それぞれ異なる複数の位置のうちいずれかで、入力装置２０を固定させることが可能となっている。左端部１１０及び中央部１３０は、入力装置２０が載せ置かれる載置部に相当する。また、右端部１５０は、載置部における入力装置２０が載せ置かれる側に対して谷折される谷折領域１４１及び１４２を介して載置部に繋げられた接続部に相当する。
【００１４】
中央部１３０には、長辺１０１から長辺１０２に至る３本の溝１３１〜１３３が、それぞれ右端部１５０からの距離が異なる位置に、谷折領域の長手方向と平行な方向に延びるように設けられている。溝１３１〜１３３の各々に表示装置１０の端部が嵌められるように、これらの溝１３１〜１３３の幅は、表示装置１０の端部の厚さ（より厳密には表示装置１０を収容カバー１５１に収容したときの厚さ）よりも大きくなっている。
【００１５】
右端部１５０には、表示装置１０を収容するための収容カバー１５１が設けられている。この収容カバー１５１は、装置収容ケース１００において表示装置１０が固定される固定部に相当する。収容カバー１５１は、例えばポリウレタン弾性糸などを用いた伸縮性のある素材からなり、開口部１５２を有する。開口部１５２の内周縁の長方形の大きさは、表示装置１０の外周よりも小さい。ユーザは、開口部１５２に対して表示装置１０を差し込むと、表示装置１０が収容カバー１５１に収容されるように、収容カバー１５１における開口部１５２の周辺を伸ばして変形させる。収容カバー１５１のうち変形された箇所は、表示装置１０が収容された後にユーザにより形を整えられる。これにより、表示装置１０が、収容カバー１５１に収容され、固定される。ユーザは、表示装置１０を取り外すときは、収容カバー１５１における開口部１５１の周辺を伸ばして変形させると、開口部１５２を通じて収容カバー１５１から表示装置１０を取り外す。
【００１６】
図１（ｂ）は、装置収容ケース１００が展開されたときの側面図である。前述したとおり、図において、磁石Ｍｂ１及びＭｂ２（それぞれ非図示）が鉄板２１ａを引き付け、磁石Ｍｂ３及びＭｂ４が鉄板２１ｂを引き付けることにより、入力装置２０が中央部１３０に固定されている。右端部１５０の、収容カバー１５１が設けられている面の裏側にあたる面には、山折領域１６１が設けられている。山折領域１６１は、谷折領域の長手方向に平行な方向に延びており、装置収容ケース１００が組み立てられるときに山折される。右端部１５０は、山折領域１６１により、中央部１３０に近い部位１６０ａと、中央部１３０から遠い部位１６０ｂとに分けられる。部位１６０ａは、左端部１１０及び中央部１３０（載置部）から遠い第１部位相当し、部位１６０ｂは、左端部１１０及び中央部１３０（載置部）に近い第２部位に相当する。収容カバー１５１は、右端部１５０の部位１６０ａに接着又は縫合などにより、右端部１５０に留められている。つまり、収容カバー１５１は部位１６０ａによってのみ右端部１５０と留められており、右端部１５０の部位１６０ｂは収容カバー１５１には留められていないため、山折領域１６１で右端部１５０を折り曲げると、表示装置１０は部位１６０ｂから離れてその姿勢が変わることになる。
【００１７】
図２は、装置収容ケース１００が折り畳まれたときの拡大側面図である。装置収容ケース１００が谷折領域１４１及び１４２で谷折されることにより、右端部１５０が中央部１３０の上方に重なり、その結果、入力装置２０の上に表示装置１０が重なっている。また、装置収容ケース１００が谷折領域１２１及び１２２で谷折されることにより、左端部１１０が、右端部１５０の上方にさらに重なっている。このとき、磁石Ｍａ１と磁石Ｍｃ１とは、相対する面、つまり磁石Ｍａ１の下面と磁石Ｍｃ１の上面で磁極が逆である。また、磁石Ｍａ２と磁石Ｍｃ２とは、相対する面、つまり磁石Ｍａ２の下面と磁石Ｍｃ２の上面で磁極が逆である。従って、磁石Ｍａ１と磁石Ｍｃ１とが引き付けあい、磁石Ｍａ２と磁石Ｍｃ２とが引き付けあうことにより、これらの磁力によって、中央部１３０に固定された入力装置２０と収容カバー１５１に固定された表示装置１０とが向かい合うように、谷折領域１４１及び１４２で谷折された状態が維持される。つまり、左端部１１０、中央１３０及び磁石Ｍａ１，Ｍａ２，Ｍｃ１，Ｍｃ２は、装置収容ケース１００を谷折領域１４１及び１４２で谷折した状態を維持する維持部に相当する。これにより、装置収容ケース１００は、折り畳まれて持ち運ばれるときに、何らかの外力等が加わっても容易に展開しないので、表示装置１０及び入力装置２０を保護することが可能となっている。
【００１８】
図３は、装置収容ケース１００が組み立てられるときの動作を示す模式図である。図３（ａ）は図１（ｂ）と同じく装置収容ケース１００が展開されたときの側面図である。図３（ａ）の状態において、ユーザは、左端部１１０、左三つ折部１２０及び中央部１３０に跨った領域の任意の位置に入力装置２０を載せ置く。ただし、このとき、ユーザは入力装置２０の右端部１５０に近い端部を溝１３１，１３２，１３３のいずれかの位置に合わせておく。ここでは、入力装置２０の右端部１５０に近い端部が溝１３１の位置に合わせられている。
【００１９】
図３（ａ）の状態から、ユーザにより装置収容ケース１００が谷折領域１４２で谷折され、山折領域１６１で山折されることにより、図３（ｂ）の状態を経て、図３（ｃ）の状態となる。上述したように、収容カバー１５１は、部位１６０ｂの位置で右端部１５０に固定されているため、図３（ｂ）の状態において、左端部１１０及び中央部１３０（載置部）に最も近いその一端１５３が右端部１５０から離間することとなる。そして、図３（ｃ）の状態において、表示装置１０を収容した収容カバー１５１の一端１５３が、溝１３１〜１３３のいずれか（ここでは溝１３２）に嵌められる。また、このとき、右端部１５０において部位１６０ａで収容カバー１５１が留められているため、収容カバー１５１における一端１５３と反対側の端部の位置がずれることがない。このようにして、表示装置１０のタッチスクリーン１１の表示面が、入力装置２０のキー配置面に対して或る角度を為した状態で固定される。これにより、ユーザは、タッチスクリーン１１に表示される画像をその姿勢が安定した状態で視認しながら、入力装置２０を操作することが可能となる。
【００２０】
図４Ａ〜図４Ｃは、表示装置１０と入力装置２０の位置関係を表す図である。上述したように、ユーザは、装置収容ケース１００において、それぞれ異なる複数の位置のいずれかで、入力装置２０を固定することが可能である。図４Ａでは、磁石Ｍｂ１及びＭｂ２とが鉄板２１ａを引き付け、磁石Ｍｂ３及びＭｂ４とが鉄板２１ｂを引き付けることにより、入力装置２０が中央部１３０に固定されている。また、表示装置１０を収容した収容カバー１５１の一端１５３が、溝１３１に嵌められている。このとき、表示装置１０が入力装置２０に対して為す角度は、例えば、およそ８０度である。
【００２１】
図４Ｂでは、磁石Ｍｂ１が鉄板２１ａを引き付け、磁石Ｍｂ３が鉄板２１ｂを引き付けることにより、中央部１３０と左端部１１０とに跨る位置に入力装置２０が固定されている。また、表示装置１０を収容した収容カバー１５１の一端１５３が、溝１３２に嵌められている。このとき、表示装置１０が入力装置２０に対して為す角度は、例えば、およそ７０度である。図４Ｃでは、磁石Ｍａ１及びＭｂ１が鉄板２１ａを引き付け、磁石Ｍａ２及びＭｂ３が鉄板２１ｂを引き付けることにより、中央部１３０と左端部１１０とに跨り、かつ左端部１１０に寄った位置に入力装置２０が固定されている。また、表示装置１０を収容した収容カバー１５１の一端１５３が、溝１３３に嵌められている。このとき、表示装置１０が入力装置２０に対して為す角度は、例えば、およそ６０度である。このように、表示装置１０及び入力装置２０が使用される場合には、表示装置１０の端部のうち左端部１１０及び中央部１３０（載置部）に最も近い端部（すなわち収容カバー１５１においては端部１５３）が、左端部１１０及び中央部１３０（載置部）に載せ置かれた入力装置２０と重なっていない溝であって右端部１５０から最も遠い溝に嵌められる。
【００２２】
これまで述べたように、装置収容ケース１００において磁石が複数の異なる位置に設けられ、入力装置２０の底面に鉄板が設けられているので、入力装置２０が、装置収容ケース１００に対して磁力によりそれぞれ異なる位置のいずれかに固定される。また、入力装置２０と装置収容ケース１００とが磁力により固定されるため、ユーザは、入力装置２０を容易に着脱可能であるとともに、入力装置２０をスライドさせてその位置を調整することも簡単である。また、右端部１５０が山折領域１６１で山折されたときに、収容カバー１５１が右端部１５０の部位１６０ａで留められているため、収容カバー１５１の一端１５３が右端部１５０から離間して溝１３１〜１３３のいずれかに嵌められたときに、収容カバーにおける一端１５３と反対側の端部の位置がずれることがない。そして、収容カバー１５１の一端１５３が、溝１３１〜１３３のうち入力装置２０と重なっていない溝であって右端部１５０から最も遠い溝に嵌められることで、表示装置１０が入力装置２０に対して或る角度を為して固定される。これにより、ユーザは、表示装置１０が入力装置２０に対して為す角度を容易に調整することが可能となっている。
【００２３】
さらに、入力装置２０が磁力により固定されることで、装置収容ケース１００が折り畳まれたときに、装置収容ケース１００の側方から入力装置２０が抜け落ちるような事態を防ぐことができる。なお、仮に入力装置２０の底面に鉄板ではなく磁石を設けた場合、例えば入力装置２０がスチール製の机に置かれたときに、磁力で机に固定されてしまい、取り外すのに手間を要するような事態が生じることがある。本実施形態では、入力装置２０の底面に鉄板を設けるようにしているので、このような事態を防ぎながら、入力装置２０を装置収容ケース１００と着脱可能に固定することが可能となっている。
【００２４】
なお、入力装置２０と表示装置１０とは、有線により通信を行ってもよい。この場合、入力装置２０と表示装置１０とは、例えばＵＳＢ（Universal Serial Bus）ケーブルなどにより接続される。
また、装置収容ケース１００に埋め込まれる磁石は、円形に限らず、四角形又は板状などその他の形状であってもよい。
また、装置収容ケース１００の形状は、左端部１１０、中央部１３０及び右端部１５０が三つ折されることで折り畳まれるようなものに限らずともよい。例えば、収容カバー１５１が留められた右端部１５０と、その位置を変更可能に入力装置２０が載せ置かれる中央部１３０と、右端部１５０及び中央部１３０を谷折領域で接続する二つ折り部とによって装置収容ケース１００が構成されてもよい。この場合、中央部１３０に対して右端部１５０が二つ折りされて折り重なった状態において、中央部１３０と右端部１５０とに組で設けられた留め具によって、装置収容ケース１００が閉じられた状態が維持されてもよい。
また、磁石の数や溝の数は、実施形態におけるものに限らなくともよい。表示装置１０が入力装置２０に対して為す角度の種類は、溝の数と同じだけあるから、溝の数に応じた数及び配置で磁石が埋め込まれればよい。例えば、図１（ａ）において溝１３３の左側にさらに溝が１つ設けられた場合、これに応じて、左端部１１０において磁石Ｍａ１及びＭａ２よりも短辺１０３に近い側であって、長辺１０１及び１０２に近いそれぞれの位置に、磁石が埋め込まれればよい。
また、表示装置１０を装置収容ケース１００に収容する方法は、実施形態におけるものに限らなくともよい。例えば、収容カバー１５１の側部に、短手方向において表示装置１０の厚みよりやや小さい長さを持ち、長手方向において表示装置１０の短手方向の辺よりやや短い長さを持つスリットが設けられてもよい。この場合、ユーザは、スリットに対して表示装置１０を差し込むことで、収容カバー１５１に表示装置１０を収容する。このとき、スリットが設けられているのが収容カバー１５１であって、スリットの周辺部分についても伸縮性のある素材が用いられているため、ユーザは、押し込む動作と引き抜く動作によって表示装置１０を収容カバー１５１に対して容易に着脱可能である。
【符号の説明】
【００２５】
１０…表示装置、１１…タッチスクリーン、２０…入力装置、２１ａ，２１ｂ…鉄板、１００…装置収容ケース、１０１，１０２…長辺、１０３，１０４…短辺、１１０…左端部、１２０…左三つ折部、１３０…中央部、１３１〜１３３…溝、１４０…右三つ折部、１５０…右端部、１５１…収容カバー、１５２…開口部、１５３…一端、１２１，１２２，１４１，１４２…谷折領域、１６０ａ，１６０ｂ…部位、１６１…山折領域、Ｍａ１，Ｍａ２，Ｍｂ１〜Ｍｂ４，Ｍｃ１，Ｍｃ２…磁石
【図１】
2013030054.tif 000003
【図２】
2013030054.tif 000004
【図３】
2013030054.tif 000005
【図４Ａ】
2013030054.tif 000006
【図４Ｂ】
2013030054.tif 000007
【図４Ｃ】
2013030054.tif 000008